(57)【要約】【課題】毛を除去するための脱毛装置の提供。【解決手段】脱毛装置を実施するための装置に関し、第１の半分および第２の半分を備えており、第１の半分が第１のアームを備え、第２の半分が第２のアームを備えている本体と、その一端に配置された第３のアームと、他端に配置された第４のアームとを有しており、第１組の歯へと接続されている心棒と、ばねに接続されており、本体内に実質的に収容され、かつ、本体の開口から部分的に露出されており、第１組の歯に係合するように構成された第２組の歯を備えているトリガ、とを備えている。【選択図】図５Ｂ
2010526639.tif 000002
【特許請求の範囲】
【請求項１】
本体と、
前記本体へと接続された複数のアームとを備え、当該複数のアームのうちの第１のアームが前記本体の第１の部位に配置され、前記複数のアームのうちの第２のアームが前記本体の第２の部位に配置され、前記複数のアームは糸に接続され、該糸が軸方向のねじりを備えており、
軸周りに実質的に軸方向に取り付けられたばねを備え、当該ばねを操作することで、前記複数のアームのうちの少なくとも１つが移動しながら、前記軸および前記軸方向のねじりが回転する、装置。
【請求項２】
前記複数のアームのうちの少なくとも１つが、前記本体の一部として形成されている請求項１に記載の装置。
【請求項３】
前記複数のアームのうちの少なくとも１つが、前記本体に対して不動である請求項１に記載の装置。
【請求項４】
前記複数のアームのうちの少なくとも１つが、前記複数のアームのうちの他の１つよりも前記本体からさらに離れるように延びている請求項１に記載の装置。
【請求項５】
前記複数のアームのうちの少なくとも１つが、糸ガイドを備えている請求項１に記載の装置。
【請求項６】
前記ばねが、前記複数のアームのうちの少なくとも１つへと接続されている請求項１に記載の装置。
【請求項７】
前記ばねが、前記本体内に収容され、トリガへと接続されている請求項６に記載の装置。
【請求項８】
前記シャフトが、前記本体内に収容されている請求項１に記載の装置。
【請求項９】
前記本体内に実質的に収容されたトリガをさらに備えている請求項１に記載の装置。
【請求項１０】
前記本体内に実質的に収容されたトリガをさらに備えており、該トリガが、前記ばねを圧縮し、前記複数のアームのうちの少なくとも１つを移動させるように構成されている請求項１に記載の装置。
【請求項１１】
前記糸が、前記複数のアームのうちの少なくとも２つに接続されている請求項１に記載の装置。
【請求項１２】
前記糸が、前記複数のアームのうちの少なくとも２つへと接続されており、前記複数のアームのうちの該少なくとも２つが、互いに斜めに向かい合って位置している請求項１に記載の装置。
【請求項１３】
前記本体が、前記トリガを部分的に露出させる開口を備えている請求項１に記載に装置。
【請求項１４】
前記本体が、１つ以上の構成要素を含んでいる請求項１に記載に装置。
【請求項１５】
第１の半分および第２の半分を備えており、該第１の半分が第１のアームを備え、該第２の半分が第２のアームを備えている本体と、
その一端に配置された第３のアームと、他端に配置された第４のアームとを有しており、第１組の歯へと接続されている心棒と、
ばねに接続されており、前記本体内に実質的に収容され、かつ、前記本体の開口から部分的に露出されており、前記第１組の歯に係合するように構成された第２組の歯を備えているトリガ、とを備えている装置。
【請求項１６】
前記第１のアームと前記第３のアームとの間に配置された糸をさらに備えている請求項１５に記載に装置。
【請求項１７】
前記糸が、２つ以上の長さを含んでいる請求項１６に記載に装置。
【請求項１８】
前記第２のアームと前記第４のアームとの間に配置された別の糸をさらに備えている請求項１６に記載に装置。
【請求項１９】
前記第１のアーム、前記第２のアーム、前記第３のアーム、および前記第４のアームのそれぞれが、前記トリガが押されたときに運動するように構成されている請求項１５に記載に装置。
【請求項２０】
前記第１のアームおよび前記第４のアームへと接続された糸をさらに備えており、
前記第１のアームおよび前記第４のアームが、前記本体の斜めに向かい合う端部に配置されている請求項１５に記載に装置。
【請求項２１】
前記第２のアームおよび前記第３のアームへと接続された別の糸をさらに備えており、
前記第２のアームおよび前記第３のアームが、前記本体の斜めに向かい合う端部に配置されている請求項２０に記載に装置。
【請求項２２】
ベースおよび複数のアームで構成される本体を備え、前記複数のアームのうちの第１のアームが第１の部位に配置され、前記複数のアームのうちの第２のアームが第２の部位に配置されており、前記複数のアームのそれぞれが、複数の糸のうちの少なくとも１つを使用して前記複数のアームのうちの別のアームへと接続されていると共に、前記複数の糸が軸方向のねじりを備え、
前記複数のアームのうちの前記第１のアームへと接続され、かつ、前記複数のアームのうちの前記第１のアームと前記複数のアームのうちの前記第２のアームとの間に配置されている心棒を備え、
回転力をもたらすように構成されたばねであって、当該ばねへと接続されたトリガが押されたときに、前記心棒、前記複数のアームのうちの前記第１のアーム、および前記軸方向のねじりを回転させるべく回転力をもたらすように構成されているばね、を備えている装置。
【発明の詳細な説明】
【技術分野】
【０００１】
本発明は、美容、スキンケア、およびエステティックケアのための製品に関し、さらに具体的には、脱毛装置に関する。
【背景技術】
【０００２】
人間の毛の除去（すなわち、脱毛）が、さまざまな種類の従来からの装置および技法を使用して行われている。存在する望ましくない毛を、部分的または完全に（すなわち、毛包から）引き抜くことができる。従来からの装置および技法を用いる毛の除去は、多くの場合、痛みを伴い、時間がかかり、熟練した専門家、美容師、または他の人員の手によって実行される。しかしながら、従来からの脱毛の装置および技法は、やはり問題が多い。
【０００３】
いくつかの従来からの装置および技法は、毛を除去するための方法として、糸脱毛(threading)を使用する。より合わせた糸、細いワイヤ、または他の細糸を転がすことによって、毛を周囲の皮膚から取り除き、引き抜くことができる（すなわち、毛包による除去）。これは、少なくとも毛の速やかな再生長を防止する。しかしながら、糸脱毛には時間がかかり、高度の技術および熟練を有する専門家が必要である。高度の技術および熟練を有する専門家（例えば、美容師）を必要とすることで、糸脱毛は、時間がかかるだけでなく、高価かつ労働集約的である。
【０００４】
したがって、毛を除去するための技術的解決策であって、従来からの技法の限界のない解決策が、必要とされている。
【０００５】
本発明は、添付の図面とともに以下の詳細な説明によって、容易に理解できるであろう。添付の図面においては、同様の参照番号が、同様の構成要素を指し示す。
【図面の簡単な説明】
【０００６】
【図１】典型的な脱毛装置を示している。
【図２】別の典型的な脱毛装置を示している。
【図３】さらに別の典型的な脱毛装置を示している。
【図４Ａ】さらにまた別の典型的な脱毛装置を示している。
【図４Ｂ】別の典型的な脱毛装置の別の図を示している。
【図５Ａ】他の典型的な脱毛装置の分解図である。
【図５Ｂ】他の典型的な脱毛装置の斜視図である。
【図５Ｃ】他の典型的な脱毛装置の正面図である。
【図５Ｄ】他の典型的な脱毛装置の後面図である。
【図５Ｅ】他の典型的な脱毛装置の左側面図である。
【図５Ｆ】他の典型的な脱毛装置の右側面図である。
【図５Ｇ】他の典型的な脱毛装置の底面図である。
【図５Ｈ】他の典型的な脱毛装置の上面図である。
【発明を実施するための形態】
【０００７】
［詳細な説明］
本発明の実施の形態または実施例を、装置、システム、またはプロセスとしてなど、多数の方法で実現することができる。１つ以上の実施例の詳細な説明を、添付の図面とともに後述する。詳細な説明が、そのような実施例に関して提示されるが、いかなる特定の実施例にも限定されない。技術的範囲は、特許請求の範囲によって限定されるが、多数の代替物、変形例、および均等物が包含される。以下の説明においては、完全な理解をもたらすために、多数の具体的詳細が説明される。それらの詳細は、例示を目的として提示され、提示される説明を、それらの具体的詳細の一部またはすべてを使用することなく、特許請求の範囲に従った実施のために使用することができる。分かり易くするために、実施例に関連する技術分野において公知である技術的材料は、説明を不必要に不明確にすることがないよう、詳しくは説明されない。提示される実施例について、さまざまな代案となる実施例および変形例を使用することが可能であり、そのような代案となる実施例および変形例は、本明細書に提示される説明、寸法、または他の例示の細部に限定されない。
【０００８】
いくつかの実施例では、第１の支持部と第２の支持部とベースとを有する本体を備えている脱毛装置が説明される。この脱毛装置が、アームを備えており、アームのうちの少なくとも１つが前記第１の支持部へと接続され、アームのうちのもう１つが前記第２の支持部へと接続されており、各アームの先端が、軸方向のねじりを有している糸を使用して別のアームへと接続されている。さらに脱毛装置は、前記第１の支持部と前記第２の支持部との間に配置されたシャフトを備えており、該シャフトが、該シャフトへと接続された少なくとももう１つのアームを有している。さらに脱毛装置は、もう１つのシャフトの周囲に軸方向に取り付けられたばねを備えており、該ばねが、トリガが操作されたときに該ばねおよび前記シャフトを回転させるように構成されている。前記トリガは、前記軸方向のねじりを少なくとも横方向に回転させるように構成されている。
【０００９】
図１が、典型的な脱毛装置を示している。ここで、装置１００が、アーム１０２〜１０４、鞘１０６〜１０８、横支持具１１０、伸縮アーム１１２〜１１４、糸１１６、および軸ねじり１１８を含んでいる。いくつかの例では、軸ねじり１１８の程度、角度、および運動を、伸縮アーム１１２〜１１４の長さを調節することによって変更、調節、または他の方法で操作（「操作」）することができる。例えば、アーム１０２〜１０４を、伸縮アーム１１２および１１４の間の角度を調節するために、運動の矢印「Ａ」および「Ｂ」によって示唆されているとおりに上下に動かすことができる。そのようにするとき、軸ねじり１１８を、「横から横」、左から右、または右から左へと転がすことができる。装置１００を望ましくない毛を有している皮膚に接触させて保持することによって、軸ねじり１１８が、毛包によって毛をつかんで除去することができる。換言すると、アーム１０２〜１０４および伸縮アーム１１２〜１１４を調節することによって、軸ねじり１１８を前後に転がして、毛包によって毛をつかんで除去することができる。換言すると、軸ねじり１１８が、皮膚の付近で毛を挟み、あるいは把持し、毛のうちの皮膚表面よりも突き出している部分を巻き取る。このようにして、軸ねじり１１８が移動するときに脱毛が生じる。他の例では、装置１００および上記の構成要素をさまざまに変えることができ、上記提示の説明に限定されない。
【００１０】
図２は、別の典型的な脱毛装置を示している。ここで、装置２００は、ハンドル２０２、アーム２０４および２０６〜２１０、シャフト２０５、糸２１２〜２１４、ならびに軸ねじり２１６を含んでいる。いくつかの例では、ユーザがハンドル２０２を把持して、軸ねじり２１６を抜こうとする毛に近接または接触させることができる。アーム２０４、２０６〜２１０が調節されるとき、角度「Ａ」および「Ｂ」を変化させ、軸ねじり２１６を側方から（すなわち、横から横、左から右、右から左、など）動かす（すなわち、転がす）ことができる。軸ねじり２１６が転がるとき、毛を軸ねじり２１６の各ねじりの間に把持、または挟んで、皮膚から引っ張り、あるいは引き抜くことができる。他の例では、装置２００ならびに図示および上述した構成要素を、さまざまに変えてもよい。
【００１１】
図３が、さらに別の典型的な脱毛装置を示している。ここでは、装置３００が、ベース３０２、プーリ３０４〜３１０、シャフト３１２〜３１４、ベルト３１６、柱３１８〜３２０、糸３２２〜３２４、および軸ねじり３２６を含んでいる。いくつかの例では、ベルト３１６またはローラ３０８〜３１０が操作される（すなわち、回転され、動かされ、ずらされ、あるいは他の方法で調節される）とき、糸３２２〜３２４を、柱３１８または３２０に巻き取ることができる。シャフト３１２〜３１４が、それぞれのローラ３０８〜３１０を、糸３２２または３２４を巻き取るために使用することができる柱３１８〜３２０へと接続している。糸３２２〜３２４が柱３１８または３２０へとそれぞれ巻き取られるとき、角度「Ａ」および「Ｂ」が調節され、軸ねじり３２６が側方（すなわち、「横から横」）に移動する。装置３００を毛に近接または直接接触させて保持することによって、引き抜きを、毛包の除去を含んで生じさせることができ、毛の再生長を遅らせ、あるいは完全に防止することができる。他の例では、装置３００および上述の構成要素が、構造、機能、デザイン、および実施においてさまざまに変えることができ、提示した例に限定されない。
【００１２】
図４Ａは、また別の代案の典型的な脱毛装置を示している。ここでは、装置４００が、本体４０２、アーム４０４〜４１０、糸４１２〜４１４、保持ピン４１６〜４２２、シャフト保持キャップ４２４〜４３０、シャフト４３２〜４３４、ばね４３６、シャフトカバー４３８〜４４０、トリガ４４２、および軸ねじり４４４を含んで示されている。いくつかの例では、アーム４０４および４１０が、本体４０２の上部支持部へと接続されている。アーム４０６〜４０８がシャフト４３２へと接続され、トリガ４４２が操作されると、シャフト４３２が回転し、アーム４０６〜４０８をアーム４０４および４１０に向かって動かし、あるいはアーム４０４および４１０から離れるように動かす。アーム４０６〜４０８がアーム４０４〜４１０に向かって動き、あるいはアーム４０４〜４１０から離れるように動くとき、軸ねじり４４４が側方に移動する。いくつかの例では、本体４０２が、金属（例えば、鋼、鉄、チタニウム、およびその他）、木材、プラスチック、合金、複合材料、あるいは他の天然または合成材料などの材料で形成され、製造され、または他の方法で製作される。さらに、図示の装置４００および構成要素は、任意の種類または組成の材料で形成、製造、または他の方法で製作でき、いかなる特定の種類、堅さ、強度、または他の物理的特性にも限定されない。またさらに、糸４１２〜４１４は、綿、羊毛、鋼、ワイヤ、あるいは図示のとおりに実現されたときに脱毛用として使用することができる他の細い天然または合成の糸状体を使用して実現することができる。
【００１３】
ここで、装置４００を、軸ねじり４４４を除去しようとする毛に近接または直接接触させることによって、脱毛に使用することができる。トリガ４４２が操作されると、軸ねじり４４４が側方に移動するときに毛が把持され、あるいは挟まれ、引き抜かれる。換言すると、アーム４０４〜４１０が互いに近づき、あるいは離れる（すなわち、アーム４０６がアーム４０４から離れるように前方または後方へと動き、アーム４０８がアーム４１０から離れるように前方または後方へと動く）ときに、角度「Ａ」および「Ｂ」が調節され、軸ねじり４４４が側方に移動する。いくつかの例では、角度「Ａ」および「Ｂ」を、或る程度の範囲において増減させることができる。例えば、角度「Ａ」および「Ｂ」を、１５度と１７０度との間で調節することができる。別の例としては、角度「Ａ」および「Ｂ」を、５〜１００度の間の運動の範囲を有するように構成することができる。あるいは、角度「Ａ」および「Ｂ」は、他の角度に合わせるように構成されてもよく、上記提示の例には限定されない。これらの角度が変化するとき、軸ねじり４４４が左右に移動する。軸ねじり４４４の移動は、いかなる特定の方向にも限定されず、任意の方向（例えば、左から右、右から左、上下、あるいは他の方向または角度）から毛を脱毛（すなわち、毛包によって除去）するために使用することが可能である。皮膚に接触させて保持されたとき、軸ねじり４４４が「転がり」を生じて、毛を脱毛する。換言すると、２本以上の糸の絡み合い（すなわち、図示のとおりアーム間に配置される）によって生み出されるねじりの部位が、皮膚に平坦または実質的に平坦に接触して保持されているときに、軸ねじり４４４が転がり、毛を軸ねじり４４４の個々のねじりの間に絡ませて把持し、毛を脱毛する。換言すると、トリガ４４２が、手による力またはばねの張力のいずれかを使用することによって前方または後方に動かされると、アーム４０４〜４１０が動き、片側の角度を大きく、他方の側の角度を小さくして、軸ねじり４４４の「転がり」を可能にする。ここにおいて使用されるように、トリガは、トリガからの運動エネルギーをアーム４０４〜４１０を使用して軸ねじり４４４へと伝達するために使用することができる任意の機械的、電気的、電気機械的、圧電的、または他の種類の機構、構成部品、または構成要素を指すことができる。「トリガ」を、アーム４０４〜４１０を動かし、したがって角度「Ａ」および「Ｂ」に変化を生じさせ、軸ねじり４４４を転がすために、押しボタン、引き金、または他の種類の装置として実現することができる。０度〜１００度の間または０度〜１００度を含む他の角度の大きさも、使用可能であり、装置４００は、図示および説明した角度の大きさに限定されない。アーム４０４〜４１０は、形状、レイアウト、素材、または他の構成の態様において変更してもよく、図示および説明した例に限定されない。さらに、本体４０２も、さまざまな形とし、デザインし、あるいは他の方法で実現することが可能であり、図示および説明した例に限定されない。たとえば、本体４０２を、装置４００を保持するために使用される把持部またはハンドルをもたらすために、さまざまに設計することが可能である。ここで、本体４０２を、ユーザが片手で、装置４００を保持し、トリガ４４２を操作し、脱毛を行うことができるような寸法を有するように設計することができる。その結果、軸ねじり４４４を皮膚に密に接触させて保持および配置することによって、軸ねじり４４４を操作するためのより大きな柔軟性および可能性が達成される。他の例では、装置４００および上述の構成要素が、構造、機能、設計、および実施においてさまざまに変えてもよく、提示した例に限定されない。
【００１４】
図４Ｂが、別の典型的な脱毛装置の別の図を示している。ここで、本体４０２、アーム４０４〜４１０、糸４１２〜４１４、保持ピン４１６〜４２２、シャフト保持キャップ４２４〜４３０、シャフト４３２、シャフトカバー４３８、トリガ４４２、軸ねじり４４４、および支持部４５２〜４５４を含む装置４５０が示されている。いくつかの例では、支持部５０２を、本体４０２の一体構造として実現することができる。他の例では、支持部５０２が、本体４０２の一部であってよい。さらに別の例では、支持部５０２を、本体４０２とは別に（すなわち、別個に）形成し、溶接、接着、ホチキス、くぎ、または他の技術など、さまざまな技術を使用して本体４０２へと直接または間接的に連結することができる。ここで、支持部４５２〜４５４は、本体４０２の一部として形成されている。本体４０２を、プラスチック、金属、合金、複合材料、あるいは木材および他の天然または合成の材料などといった他の材料を使用して、形成することができる。
【００１５】
ここでは、アーム４０８のシャフト４３２への接続を含む装置４００の側面の斜視図が示されている。トリガ４４４が操作されると、シャフト４３２が軸周りに回転して、アーム４０６〜４０８を動かす。いくつかの例では、アーム４０４および４１０を、シャフト４３２が軸周りに回転するときにアーム４０６〜４０８がアーム４０４および４１０に近づき、あるいはアーム４０４および４１０から離れるような垂直方向および水平方向の角度で、支持部５０２および５０４へと取り付けることができる。アーム４０６〜４０８がアーム４０４および４１０に近づき、あるいはアーム４０４および４１０から離れるとき、角度「Ａ」および「Ｂ」が変化し、糸の軸ねじり４４４が側方に（すなわち、保持ピン４１６〜４２２に向かい、あるいは保持ピン４１６〜４２２から離れるように）移動する。上述のように、軸ねじりが転がりまたは側方への移動を続けるときに、毛を把持し、あるいは挟んで、毛包によって引き抜くことができる。代案として、装置４５０および上述の構成要素は、さまざまに変えても良く、図示の例に限定されない。
【００１６】
図５Ａは、別の典型的な脱毛装置の分解図である。ここで、装置５００が、後部本体５０２、前部本体５０４、アーム５０６〜５１２、心棒(axle)５１４、軸５１６、歯５１８〜５２０、軸収容部５２２〜５２４、歯収容部５２６、トリガ５３０、トリガ軸５３２、ばね５３４、ばねアーム５３６〜５３８、トリガ軸収容部５４０、ラッチ５４２、ピン５４４〜５４６、穴５４８〜５５０、糸ガイド５５２〜５５８、および糸受け５６０〜５６２を含んでいる。いくつかの例では、装置５００の上述の構成要素の数、種類、形態、設計、構成、配置、寸法、および他の特徴を変えてもよく、図示および説明されるものに限られない。例えば、アームの数を変えてもよい。さらに、後部本体５０２および前部本体５０４と同一平面を延びる軸からのアームの配置の角度が、さまざまであってよく、図示および説明される例に限られない。例えば、アーム５１０〜５１２を、後部本体５０２および前部本体５０４と同一平面である垂直軸（図示せず）から０度に配置または位置（「位置」）させることができる。他の例では、アーム５０６〜５１２の先端において糸ガイド５５２〜５５８および糸受け５６０〜５６２にねじられて固定される糸（図示せず）の経路の角度および長さを調節するために、アーム５１０〜５１２を、垂直または水平軸から外れるさまざまな角度に位置させることができる。例えば、糸ガイド５５２〜５５８を、アーム５０６〜５１２の先端に配置された溝、切り欠き、チャネル、くぼみ、留め金、などとして実現することができる。追加の糸受けを、アーム５０８〜５１０の先端に形成することができ、図５Ｆにおいて図示および後述される。
【００１７】
再び図５Ａを参照すると、ばねアーム５３６をトリガ５３０内に配置し、トリガ軸５３２に整列させることによって装置５００を組み立てることができる。さらに、後部本体５０２がピン５４４〜５４６およびラッチ５４２を使用して前部本体５０４に連結されるとき、ばねアーム５３８を、後部本体５０２に形成されたくぼみまたは他の収容部に固定することができる。他の例では、後部本体５０２および前部本体５０４を、ピン５４４〜５４６以外の技術を使用して連結することができ、そのような技術は、金属、金属合金、プラスチック、複合材料、合成材料、有機材料、天然素材、または他の材料など、さまざまな材料から製作されるねじを使用して実現することができる。穴５４８〜５５０を貫いて配置されるとき、ピン５４４〜５４６を、前部本体５０４の内表面に形成された収容部（図示せず）へとねじ込み、ロックし、圧入し、押し込み、あるいは他の方法で固定することができる。ピン５４４〜５４６を、後部本体５０２を前部本体５０４へと固定するために使用することができ、そのようにすることで、ばね５３４に張力を与え、トリガ５３０が押し込まれたときに歯５１８〜５２０に係合できるようにすることができる。係合時、歯５１８〜５２０が心棒５１４を軸５１６を中心にして回転させることで、アーム５０６および５１２が閉じられ、アーム５０８〜５１０が開かれる。換言すると、ばね５３４が、アーム５０６および５１２を開き、アーム５０８〜５１０を閉じるばね力をもたらしており、トリガ５３０が後部本体５０２および前部本体５０４によって形成される空洞へと押し込まれるときに、アーム５０６および５１２が閉じ、アーム５０８〜５１０が開く。他の例では、アーム５０６〜５１２を、上述のように、反対の方向など、異なった動作をするように構成することができる。さらに別の例では、アーム５０６〜５１２の長さ、および、装置５００の水平または垂直軸（図示せず）から測定したときのアーム５０６〜５１２の角度のオフセット（すなわち、ばね５３４からのばねの張力によって付勢されているが、ユーザがトリガ５３０を押していないときのアーム５０６〜５０８の位置）は、変えてもよく、提示した例に限定されない。
【００１８】
ここで、トリガ５３０は、後部本体５０２の内部に形成されたくぼみ５６３と前部本体５０４の開口とによって形成される空洞に収容され、前部本体５０４から部分的に突出することを許容する。トリガ軸収容部５４０を、トリガ軸５３２を位置させて、トリガ５３０を押し込んで回転させることができる支点を設けるために使用することができる。トリガ５３０がトリガ軸５３２を中心にして回転させられるとき、歯５２０がトリガ５１８に係合する。したがって、トリガ５３０が、ばね５３４によってもたらされるばねの張力に逆らってくぼみ５６３へと押し込まれるとき、歯５２０が、アーム５０６〜５０８と一緒の単一で一体の部品として形成することができる心棒５１４上の歯５１８に係合する。いくつかの例では、装置５００および上述の構成要素を、制限なく、さまざまな材料および技術を使用して形成、製作、組み立て、製造、または他の方法で形成することができる。例えば、後部本体５０２および前部本体５０４を、成形プラスチック、金属、金属合金、プラスチック、磁器、あるいは他の合成または天然材料を使用して形成することができる。別の例として、射出成形技術が、装置５００および上述の構成要素を形成するために使用されてもよい。さらに別の例として、他の種類の技術を使用することができ、上述の例に限定されない。さらに、装置５００および上述の構成要素を、図示または説明されていない別の部品または構成要素から組み立てることができる。他の例では、装置５００および上述の構成要素を、図示および説明したものとは別のさまざまな材料および技術を使用して、形成、製作、組み立て、製造、または他の方法で形成することができる。
【００１９】
ここで、アーム５０６〜５０８および心棒５１４を、複数の部分から形成し、接着剤、ねじ、または他の技術を使用して一体結合させることができる。いくつかの例では、トリガ５３０を、くぼみ５６３へと押し込ませてアーム５０６〜５０８を動かすように構成することができる。アーム５０６を、アーム５１２に向かって回転、閉鎖、または移動するように構成することができる。同様に、トリガ５３０が押し込まれ、あるいは押された（「押された」）とき、アーム５０８を、アーム５１０から離れるように回転、開放、または移動するように構成することができる。このように、アーム５０６〜５０８が動く（すなわち、トリガ５３０が押されたときに回転する）とき、ねじり合わせられて糸ガイド５５２〜５５８および糸受け５６０〜５６２に固定された糸（図示せず）を、毛に係合させて脱毛を行うために使用することができる。
【００２０】
いくつかの例では、２本の糸（図示せず）がねじられて糸ガイド５５２〜５５８へと挿入され、糸受け５６０〜５６２に固定されるとき、ねじりが、アーム５０６〜５１２の間を行ったり来たり「回転する」ように横方向および軸方向に操作することができる。ねじり（図示せず）を脱毛対象の表面に接触させ、トリガ５３０を押すことによってアーム５０６および５１２が閉じられ、アーム５０８〜５１０が開かれることで、ねじりが転がり、毛を皮膚から毛包を含めて引き抜く。トリガ５３０が放されると、アーム５０６および５１２が開き、アーム５０８〜５１０が閉じることで、ねじりが反対の方向の回転し、毛をねじりの巻きに巻き込み、その後にこれらの毛が、装置５００によって使用されている糸に接触して位置する皮膚から、毛包によって引き抜かれる。いくつかの例では、ねじられてアーム５０６〜５１２に係合させられた糸が、毛に係合するとき、ねじりを、１つ以上の軸に沿って動かすことができる。換言すると、ねじりを、装置５００に実質的に平行な軸に沿って回転させるとともに、上方へと動かすことができ、転がり運動（すなわち、毛の把持または毛との係合のため）および皮膚の表面からの上方移動（すなわち、係合させた毛を引っ張り、あるいは引き抜くため）をもたらすことができる。他の例では、上述の動作を、ばね５３４の位置、アーム５０６〜５１２の長さまたは角度のオフセット、あるいは装置５００および上述の構成要素の他の特徴または寸法を調節することによって、変更することが可能である。さらに別の例では、装置５００および上述の構成要素が、設計、実施、構成、寸法、作用、または他の態様において変えてもよく、図示および説明した例に限定されない。
【００２１】
図５Ｂが、別の典型的な脱毛装置の斜視図を示している。例として、装置５６４および上述した構成要素と同様の参照番号にて示されている構成要素は、これまでの図に関連してすでに図示および説明した装置および構成要素と、同様または実質的に同様であってよい。ここで、装置５６４が、後部本体５０２、前部本体５０４、アーム５０６〜５１２、心棒５１４、トリガ５３０、糸ガイド５５２〜５５８、および糸ストッパ５７０〜５７６を含んでいる。いくつかの例では、装置５６４を、図５Ａに関連して上述したのとは異なるように実施することができる。再び図５Ｂを参照すると、装置５６４が組み立てられた状態で示されている。後部本体５０２および前部本体５０４を、例えばピン（例えば、ピン５４４〜５４６）、ねじ、くぎ、任意の種類の接着剤、または他の技術を使用して、一体に結合させることができる。他の例では、後部本体５０２および前部本体５０４を、トリガ５３０を突出させるための開口を備える単一で一体の部品として形成してもよい。やはり、トリガ５３０が押されたとき、アーム５０６がアーム５１２との閉鎖位置へと回転し（すなわち、アーム５１２に向かって移動し、あるいはアーム５１２に近づく）、アーム５０８がアーム５１０から離れるように移動する。糸ガイド５５２に固定された糸（図示せず）が、糸ガイド５５６に固定されている。同様に、糸ガイド５５４に固定された糸が、糸ガイド５５８に固定されている。他の例では、１本または複数本の糸を使用し、糸ガイド５５２〜５５８に固定することができ、上述の例には限定されない。
【００２２】
斜めに向かい合うアームのペア（例えば、糸ガイド５５４および５５８、糸ガイド５５２および５５６）に固定される糸（図示せず）を、糸の軸ねじり、コイル、またはツイスト（「ねじり」）が生成されるようにねじることができる。トリガ５３０が押されると、アーム５０６および５１２が閉じ、アーム５０８および５１０が開き、ねじられた糸のペアのねじりが、アーム５０６および５１２に向かう方向に移動および回転する。換言すると、アーム５０８および５１０が開くとき、分離の力がねじり（図示せず）をアーム５０８および５１２（これらは、アーム５０８および５１０が開くのと実質的に同時に閉じ、ねじりの回転移動に対する抵抗を小さくする）に向かって回転させる。他の例では、装置５６４および上述の構成要素が、設計、機能、動作、構成、材料、および寸法において変えてもよく、上記提示の説明に限定されない。
【００２３】
図５Ｃは、別の典型的な脱毛装置の正面図である。例として、装置５７８および上述した構成要素と同様の参照番号にて示されている構成要素は、これまでの図に関連してすでに図示および説明した装置および構成要素と、同様または実質的に同様であってよい。ここで、装置５７８は、前部本体５０４、アーム５０６〜５１２、心棒５１４、トリガ５３０、糸ガイド５５８、および糸ストッパ５７０〜５７６を含んでいる。いくつかの例では、糸を、上述のように斜めに向かい合うアーム間に引き張られる一対の糸の先端および手前端に配置することができる糸ストッパ５７０〜５７６によって、糸ガイド５５２〜５５８（糸ガイド５５２〜５５８は、この視野のため示されていない）に固定することができる。さらに、糸ガイド５５２〜５５８の間に配置される糸（図示せず）を、綿、羊毛、ポリエステル、プラスチック、ナノチューブ、またはその他のものを含む、任意の種類の天然または合成の糸または材料を使用して実現することができる。
【００２４】
ここで、トリガ５３０を押して（すなわち、後部本体５０２（図示せず）と前部本体５０４との間に形成される空洞へと押し込んで）、アーム５０８を心棒５１４に平行または実質的に平行な軸に沿って回転させることができる。さらに、トリガ５３０が押されるとき、アーム５０６が、心棒５１４に平行または実質的に平行な軸に沿って、アーム５１２から離れるように回転する。いくつかの例では、アーム５１０および５１２が固定されていてもよく（すなわち、動くことがなく、あるいは、動くことができない）、それぞれ後部本体５０２および前部本体５０４の一部として形成することができる。装置５７８を、いくつかの例では、いかなる特定の寸法セットに限定されることなく、さまざまな寸法およびサイズを使用して実現することができる。例えば、装置５７８を、図示のとおり、アーム５１２の先端から前部本体５０４の底部まで測定したときに、４．３６４インチの全幅および４．７９４インチの全高に成型することができる。他の例では、装置５７８およびここに記載される構成要素のサイズ、長さ、幅、曲率半径、および他の寸法は、変更することができ、図示の例に限定されない。図示の寸法は、あくまでも説明および例示の目的のためのものであり、これに限られるものではなく、正確にこの寸法でなくてもよい。他の例では、アーム５１０および５１２を、異なるように実施することができ、固定された不動の位置または図示および上述のような機能に限定されない。さらに、装置５７８および上述の構成要素は、設計、機能、動作、構成、材料、および寸法において変更してもよく、上記提示の説明に限定されない。
【００２５】
図５Ｄは、別の典型的な脱毛装置の後面図である。例として、装置５８０および上述した構成要素と同様の参照番号にて示されている構成要素は、これまでの図に関連してすでに図示および説明した装置および構成要素と、同様または実質的に同様であってよい。ここで、装置５８０は、後部本体５０２、アーム５０６、５１０、および５１２、心棒５１４、ピン５４４〜５４６、糸ガイド５５４、糸ストッパ５７０〜５７６、ならびに穴５８２〜５８４を含んでいる。いくつかの例では、後部本体５０２を、前部本体５０４（図示せず）へと固定、封止、取り付け、または他の方法で結合（「結合」）することができ、さらに前部本体５０４は、アーム５１２を固定された不動の位置に備えて形成することができる。さらに、アーム５１０も、後部本体５０２の連続的な一部分として形成することができる。他の例では、アーム５０６（図示せず）または５０８〜５１２のいずれかを、図５Ａ〜５Ｈのいずれかに関して、ここに図示および説明される構成要素のいずれかに連続的に形成することができ、あるいはそのような構成要素とは別に形成することができる。またさらに、装置５８０および上述の構成要素は、設計、機能、動作、構成、材料、および寸法において変更してもよく、上記提示の説明に限定されない。
【００２６】
図５Ｅは、別の典型的な脱毛装置の左側面図である。例として、装置５８６および上述した構成要素と同様の参照番号にて示されている構成要素は、これまでの図に関連してすでに図示および説明した装置および構成要素と、同様または実質的に同様であってよい。ここで、装置５８６は、後部本体５０２、前部本体５０４、アーム５０６〜５１２、心棒５１４、トリガ５３０、糸ガイド５５２〜５５８、および糸受け５６０〜５６２を含んでいる。装置５８６の左側の図として、糸受け５６０〜５６２を、アーム５０６および５１２の外表面に沿って配置することができる。同様に、糸受け（図示せず）を、アーム５０８〜５１０の外表面に沿って配置することができる。いくつかの例では、糸受け５６０〜５６２を、アーム５０６〜５１２の先端に形成される凹所、くぼみ、ポケット、穴、または収容部として実現することができる。糸（図示せず）を、糸ガイド５５２〜５５８および糸受け５６０〜５６２に固定することができる。ねじり合わせられ、そして、張力のもとで糸ガイド５５２〜５５８および糸受け５６０〜５６２に固定されるとき、糸（すなわち、アーム５０６〜５１２間で糸を絡み合わせることによって生じるねじり）を、毛に係合させて、そして、腕、顔、唇、眉、または他の体の部位の表面から毛を抜くために使用することができる。さらに、装置５８６および上述の構成要素は、設計、機能、動作、構成、材料、および寸法において変更してもよく、上記提示の説明に限定されない。
【００２７】
図５Ｆが、別の典型的な脱毛装置の右側面図である。例として、装置５８８および上述した構成要素と同様の参照番号にて示されている構成要素は、これまでの図に関連してすでに図示および説明した装置および構成要素と、同様または実質的に同様であってよい。ここで、装置５８８は、後部本体５０２、前部本体５０４、アーム５０６〜５１２、心棒５１４、トリガ５３０、糸ガイド５５２〜５５８、および糸受け５９０〜５９２を含んでいる。トリガ５３０が押されると、アーム５０６〜５０８が、心棒５１４に平行または実質的に平行な軸に沿って（心棒５１４の中心に位置し、心棒５１４の断面に対して垂直である軸を中心にして）回転する。いくつかの例では、トリガ５３０が押されたとき、アーム５０６〜５０８が心棒５１４に平行または実質的に平行な軸を中心にして左方へと回転し、結果として、アーム５０８〜５１０が開かれ、アーム５０６〜５１２が閉じ合わされる。あるいは、トリガ５３０およびばね５３４（図５Ａ）を別の方法で実現し、トリガ５３０が押されたときにアーム５０６〜５０８が心棒５１４に平行または実質的に平行な軸を中心にして右方へと回転するようにしてもよい。さらに別の例では、装置５８８を、図示および説明した動作以外の動作をもたらすように、別の方法で実現することができる。例えば、別の例では、トリガ５３０が押されたときに、アーム５０６〜５１２のうちの１つ以上が動くことができ、アーム５０６〜５０８が心棒５１４に平行または実質的に平行な軸を中心にして回転する、というような、ここで図示および説明した例に限られない。例として、アーム５０８〜５１０を、休止位置（すなわち、トリガ５３０が押されていない）において約４５度にお互いからオフセットすることができる。さらに、アーム５０８〜５１０を、お互いから離れて０度から１５０度まで測定される円弧にて動くように構成することができる。さらに、アーム５０６〜５１２の寸法（例えば、長さ、幅、奥行き、およびその他）は、さまざまであってよく、いかなる特定の寸法にも限定されない。ここに示されるとおり、アーム５０６および５１２を、休止（すなわち、非操作）状態において４５度という離れた角度を有するように構成することができる。トリガ５３０が押されたとき（すなわち、矢印「Ａ」の方向）に、アーム５０６を、アーム５１２からの４５度未満に離れた状態に（すなわち、矢印「Ｂ」の方向に）閉じるように構成することができる。同様に、トリガ５３０が押されたとき（すなわち、矢印Ａの方向）に、アーム５０８を、４５度を超えてアーム５１０から離れる方向に（すなわち、矢印「Ｃ」の方向に）回転して開くように構成することができる。いくつかの例では、アーム５０８および５１０の間の角度の離間の程度を、４５度、９０度、または最大１８０度（１８０度を含む）までの任意の他の離間角度まで開くように構成することができる。いくつかの例では、トリガ５３０が放されたときに、アーム５０８が逆方向に（すなわち、矢印「Ｃ」の反対の方向に）回転し、４５度離れた角度までアーム５１０に近づく。他の例では、アーム５０６〜５０８を、それぞれアーム５１０および５１２から４５度未満または４５度を超えて離れるまで回転するように構成することができる。さらに別の例では、アーム５０６〜５０８を、ここに記載の方向とは反対の方向に動くように構成することができ、上記提示の説明に限定されない。例として、アーム５０６〜５１２を、さまざまな長さに設計、形成、および構成することができる。例えば、アーム５０８が、アーム５１０の隣接する縁と交差（すなわち、角度）を形成する縁に沿って測定したときに、１．２３４インチの長さであってよい。同様に、アーム５０６が、アーム５１０の対向して隣接する縁と交差を形成するアーム５０６の縁に沿って測定したときに、２．０２１インチの長さであってよい。他の例では、上述の寸法を変更でき、上記提示の例に限定されない。装置５８８を、ユーザが例えば脱毛処理を受ける者の体の一部を操りながらトリガ５３０を操作することができる手持ち式の装置として実現することができる。さらに、装置５８８および上述の構成要素は、設計、機能、動作、構成、材料、および寸法において変更してもよく、上記提示の説明に限定されない。
【００２８】
図５Ｇは、別の典型的な脱毛装置の底面図である。例として、装置５９０および上述した構成要素と同様の参照番号にて示されている構成要素は、これまでの図に関連してすでに図示および説明した装置および構成要素と、同様または実質的に同様であってよい。ここで、装置５９０が、後部本体５０２、前部本体５０４、アーム５０６〜５０８、トリガ５３０、糸ストッパ５７０〜５７２および５７６、ならびに継ぎ目５９２を含んでいる。真下（すなわち、下方）から見たとき、後部本体５０２および前部本体５０４が組み合わせられ、接合され、封止され、あるいは他の方法で一体に接続されている接合部、割れ目、または他の接触領域を示している継ぎ目５９２が視認可能であってよい。他の例では、継ぎ目５９２が、視認不可能またはわずかに視認可能であってよい。さらに別の例では、後部本体５０４および前部本体５０２を使用する代わりに、ただ１つの本体部材が使用および形成される場合に、継ぎ目５９２が存在しなくてもよい。換言すると、後部本体５０２および前部本体５０４を、ただ１つの部材（例えば、一体物の常温成形または射出成形体）で置き換えることができる。さらに、装置５９０および上述の構成要素は、設計、機能、動作、構成、材料、および寸法において変えてもよく、上記提示の説明に限定されない。
【００２９】
図５Ｈは、別の典型的な脱毛装置の上面図である。例として、装置５９４および上述した構成要素と同様の参照番号にて示されている構成要素は、これまでの図に関連してすでに図示および説明した装置および構成要素と、同様または実質的に同様であってよい。ここで、装置５９４の上面図が、アーム５０６〜５１２、心棒５１４、トリガ５３０、糸ガイド５５２〜５５８、糸ストッパ５７０〜５７６、糸５９５〜５９６、および軸ねじり（「ねじり」）５９８を示している。いくつかの例では、糸ストッパ５７０〜５７６および糸５９５〜５９８を、一緒に実現することができる。例えば、糸５９５は、それぞれの端部に糸ストッパ５７０および５７６を有することができる。いくつかの例では、糸ストッパ５７０〜５７６を、糸５９５〜５９６の端部へ結合されたビード、ワッシャ、ボール、または他の部材（成形、製作、製造、溶融、その他による）として実現することができる。糸５９５〜５９６が糸ガイド５５２〜５５８に配置されるとき、糸ストッパ５７０〜５７６が、滑りを防止し、張力を維持するために、糸５９５〜５９６を所定の場所（すなわち、糸ガイド５５２〜５５８）に保持する目的で使用される。さらに、糸５９５〜５９６がねじり合わせられるとき、ねじり５９８が形成される。張力のもとに置かれたとき、ねじり５９８は、トリガ５３０が操作されたときに、おおむねアームのペア（すなわち、それぞれアーム５０８〜５１０、ならびにアーム５０６および５１２）へと向かう方向またはアームのペアから離れる方向に移動（例えば、回転）することができる。押されたときに、トリガ５３０およびトリガ５３０の上部に配置された歯５２０（図示せず）が、心棒５１４の下方の歯５１８（図示せず）に係合する。その結果、心棒５１４が軸５１６（図示せず）を中心にして回転し、アーム５０６〜５０８をアーム５１０〜５１２に向かって回転させ、あるいはアーム５１０〜５１２から離れるように回転させる。アーム５０６〜５０８が回転するとき、ねじり５９８が回転して横方向に移動する。ねじり５９８が移動するとき、ねじり５９８の個々のねじりが毛に係合し、ねじり５９８がさらに移動するときに、回転および引っ張りの作用が達成されて、毛が捕らえられて毛包によって除去される（すなわち、脱毛される）。回転および横方向の移動によって毛が捕らえられ、移動が続くときに、毛およびねじり５９８の間のより大きな表面接触ゆえに、破断または切断を生じて毛包を手つかずのままに表皮に残すことなく、毛を脱毛することができる（すなわち、毛包によって除去される）。他の例では、装置５９４および上述の構成要素が、設計、機能、動作、構成、材料、および寸法において変えてもよく、上記提示の説明に限定されない。
【００３０】
以上の例を、理解を明確にするという目的のために詳しく説明したが、特定の変更および変形を、添付の特許請求の範囲の技術的範囲において実行することが可能である。したがって、以上の例は、例示と考えるべきであって、本発明を限定するものと解釈してはならず、本明細書に提示した細部に限定されるわけではなく、添付の特許請求の範囲の技術的範囲および均等物の範囲において、変更が可能である。各請求項において、各構成要素および／または工程は、請求項中で明示的に述べられない限りは、いかなる特定の操作の順序も意味しない。
【図１】
2010526639.tif 000003
【図２】
2010526639.tif 000004
【図３】
2010526639.tif 000005
【図４Ａ】
2010526639.tif 000006
【図４Ｂ】
2010526639.tif 000007
【図５Ａ】
2010526639.tif 000008
【図５Ｂ】
2010526639.tif 000009
【図５Ｃ】
2010526639.tif 000010
【図５Ｄ】
2010526639.tif 000011
【図５Ｅ】
2010526639.tif 000012
【図５Ｆ】
2010526639.tif 000013
【図５Ｇ】
2010526639.tif 000014
【図５Ｈ】
2010526639.tif 000015
【国際調査報告】
2010526639.tif 000016